(57)【要約】【課題】構造材と仕上材とが一体化したパネルを床パネルとして用いる場合に、配線取出し口の箇所数を低減できる二重床構造を提供すること。【解決手段】二重床構造１は、スラブ面２に設けられる複数の支持脚１０と、これら複数の支持脚１０に支持される複数の略矩形状の床パネル２０と、を備える。この二重床構造１では、複数の床パネル２０は、隅部２１同士を突き合わせて並んで配置され、支持脚１０は、複数の床パネル２０の隅部２１が集合する集合部２２を上面で支持し、この集合部２２には、蓋部材３０が着脱可能に設けられ、支持脚１０には、床下空間から支持脚１０の上面に至る開口１２３、下側軸部１２１の内部、上側軸部１２２の内部、および連通孔１３１が設けられている。【選択図】図４
2014169616.tif 000002
【特許請求の範囲】
【請求項１】
スラブ面に設けられる複数の支持脚と、
当該複数の支持脚に支持される複数の略矩形状の床パネルと、を備える二重床構造であって、
前記複数の床パネルは、隅部同士を突き合わせて並んで配置され、
前記支持脚は、前記複数の床パネルの隅部が集合する集合部を上面で支持し、
当該集合部には、蓋部材が着脱可能に設けられ、
前記支持脚には、床下空間から当該支持脚の上面に至る通路が設けられていることを特徴とする二重床構造。
【請求項２】
前記床パネルは、構造材と仕上材とが一体化されたパネルであることを特徴とする請求項１に記載の二重床構造。
【請求項３】
前記支持脚は、スラブ面に設置された台座と、当該台座の上に設けられた筒状の軸部と、当該軸部の上に設けられて前記集合部が載置される支持部と、を備え、
前記蓋部材は、前記支持部に磁力で吸着あるいは粘着力で粘着されることを特徴とする請求項１または２に記載の二重床構造。
【請求項４】
前記蓋部材は、通気性を有することを特徴とする請求項１から３のいずれかに記載の二重床構造。
【請求項５】
スラブ面に設けられる複数の支持脚と、
当該支持脚同士の間に架設された複数の根太材と、
当該複数の根太材同士の間に架設される複数の略矩形状の床パネルと、を備え、
前記複数の床パネルは、隅部同士を突き合わせて並んで配置され、
前記複数の床パネルの隅部が集合する集合部には、蓋部材が着脱可能に設けられることを特徴とする二重床構造。
【発明の詳細な説明】
【技術分野】
【０００１】
本発明は、二重床構造に関する。
【背景技術】
【０００２】
従来より、フリーアクセスフロアなどの二重床構造が知られている。具体的には、この二重床構造は、スラブ面に設けられる複数の支持脚と、当該複数の支持脚に支持される複数の矩形状の床パネルと、この床パネルの上に張り付けられたタイルカーペットなどの仕上材と、を備える（特許文献１参照）。
【０００３】
矩形状の床パネルは、隅部同士を突き合わせて並んで配置されており、支持脚は、この床パネルの隅部が集合する箇所を支持している。
【０００４】
この床パネルの少なくとも一辺の中央部には、配線取出し口となる切欠きが設けられており、この切欠きには、蓋部材が取り付けられる（特許文献１、２参照）。この蓋部材は、上述の仕上材で覆われて隠蔽される。
【０００５】
この床パネルでは、床下空間の配線を床上に取り出す場合、仕上材を剥がして、その後、切欠きを覆う蓋部材を取り外し、この切欠きを通して床下空間の配線を取り出す。
【先行技術文献】
【特許文献】
【０００６】
【特許文献１】特開平１１−２４７４１７号公報
【特許文献２】特開２００３−４１７５３号公報
【発明の概要】
【発明が解決しようとする課題】
【０００７】
ところで、構造材と仕上材とが一体化したパネルを床パネルとして用いる場合がある。この場合、床パネル上に仕上材を設けないため、従来の二重床構造を採用すると、配線取出し口の箇所数が多くなり、多数の蓋部材が露出することになって、意匠性が低下する、という問題があった。
【０００８】
本発明は、構造材と仕上材とが一体化したパネルを床パネルとして用いる場合に、配線取出し口の箇所数を低減できる二重床構造を提供することを目的とする。
【課題を解決するための手段】
【０００９】
請求項１に記載の二重床構造（例えば、後述の二重床構造１、１Ａ、１Ｂ）は、スラブ面（例えば、後述のスラブ面２）に設けられる複数の支持脚（例えば、後述の支持脚１０）と、当該複数の支持脚に支持される複数の略矩形状の床パネル（例えば、後述の床パネル２０）と、を備える二重床構造であって、前記複数の床パネルは、隅部（例えば、後述の隅部２１）同士を突き合わせて並んで配置され、前記支持脚は、前記複数の床パネルの隅部が集合する集合部（例えば、後述の集合部２２）を上面で支持し、当該集合部には、蓋部材（例えば、後述の蓋部材３０）が着脱可能に設けられ、前記支持脚には、床下空間から当該支持脚の上面に至る通路（例えば、後述の開口１２３、下側軸部１２１の内部、上側軸部１２２の内部、連通孔１３１、スリット１４、開口６１）が設けられていることを特徴とする。
【００１０】
この発明によれば、床下空間の配線を床上に取り出す場合、この配線を取り出したい箇所の蓋部材を取り外す。すると、支持脚の上面が露出するので、通路を通して、床下空間の配線を支持脚の上面から取り出す。このようにして、床下空間の配線を容易に取り出すことができる。
従来の二重床構造では、各床パネルについて１つの配線取出し口が設けられるため、配線取出し口の箇所数が多くなっていた。しかしながら本発明では、床パネルの隅部が集合する箇所を配線取出し口とするので、配線取出し口の箇所数を低減できる。
【００１１】
請求項２に記載の二重床構造は、前記床パネルは、構造材と仕上材とが一体化されたパネルであることを特徴とする。
【００１２】
ここで、構造材と仕上材とが一体化されたパネルとしては、木製、樹脂製、ケイ酸カルシウム板、金属製、金属と樹脂との複合板、金属と水硬性材料との複合板などがある。
この発明によれば、構造材と仕上材とが一体化されたパネルを床パネルとして用いたので、カーペットなどの仕上材が不要となるから、低コストとなる。
【００１３】
請求項３に記載の二重床構造は、前記支持脚は、スラブ面に設置された台座（例えば、後述の台座１１）と、当該台座の上に設けられた筒状の軸部（例えば、後述の軸部１２）と、当該軸部の上に設けられて前記集合部が載置される支持部（例えば、後述の支持部１３）と、を備え、前記蓋部材は、前記支持部に磁力で吸着あるいは粘着力で粘着されることを特徴とする。
【００１４】
この発明によれば、蓋部材を支持部に磁力で吸着あるいは粘着力で粘着させたので、歩行者の靴底の衝撃により蓋部材が脱落するのを防止できるうえに、蓋部材を取り外す場合には、吸引機器で蓋部材を吸引して容易に取り外すことができる。
【００１５】
請求項４に記載の二重床構造は、前記蓋部材（例えば、後述の蓋部材３０Ｃ）には、表裏に貫通する貫通孔（例えば、後述のルーバ３２同士の隙間、貫通孔３３、スリット３４）が設けられることを特徴とする。
【００１６】
この発明によれば、蓋部材に貫通孔を設けたので、二重床の床下空間に空気を供給することにより、この供給された空気が蓋部材の貫通孔を通して床上の室内空間に流入するから、蓋部材を給気口として用いることができる。
また、蓋部材に設けた貫通孔を通して、床下空間内の配線を床上に取り出すことができる。
【００１７】
請求項５に記載の二重床構造（例えば、後述の二重床構造１Ｄ）は、スラブ面（例えば、後述のスラブ面２）に設けられる複数の支持脚（例えば、後述の支持脚１０Ｄ）と、当該支持脚同士の間に架設された複数の根太材（例えば、後述の根太材７０）と、当該複数の根太材同士の間に架設される複数の略矩形状の床パネル（例えば、後述の床パネル２０）と、を備え、前記複数の床パネルは、隅部（例えば、後述の隅部２１）同士を突き合わせて並んで配置され、前記複数の床パネルの隅部が集合する集合部（例えば、後述の集合部２２）には、蓋部材が着脱可能に設けられることを特徴とする。
【００１８】
この発明によれば、支持脚を集合部の直下に配置しないので、集合部の直下には根太材のみが配置されることになる。よって、床下空間の配線を床上に取り出す場合、この配線を取り出したい箇所の蓋部材を取り外す。すると、根太材の上面が露出するので、根太材と集合部との隙間を通して、床下空間の配線を床上に取り出す。このようにして、床下空間の配線を容易に取り出すことができる。
【００１９】
従来の二重床構造では、各床パネルについて１つの配線取出し口が設けられるため、配線取出し口の箇所数が多くなっていた。しかしながら本発明では、床パネルの隅部が集合する箇所を配線取出し口とするので、配線取出し口の箇所数を低減できる。
また、支持脚の内部に配線を通すための通路を設ける必要がないので、支持脚として汎用品を用いることができる。
【００２０】
また、支持脚で根太材を支持する構造としたので、各集合部に支持脚を設ける必要がなく、支持脚の個数を削減して、施工費を低減できる。
【発明の効果】
【００２１】
本発明によれば、床下空間の配線を床上に取り出す場合、この配線を取り出したい箇所の蓋部材を取り外す。すると、支持脚の上面が露出するので、通路を通して、床下空間の配線を支持脚の上面から取り出す。このようにして、床下空間の配線を容易に取り出すことができる。また、床パネルの隅部が集合する箇所を配線取出し口とするので、配線取出し口の箇所数を低減できる。
【図面の簡単な説明】
【００２２】
【図１】本発明の第１実施形態に係る二重床構造の平面図である。
【図２】前記実施形態に係る二重床構造の一部を示す斜視図である。
【図３】前記実施形態に係る二重床構造の床パネルの平面図および側面図である。
【図４】前記実施形態に係る二重床構造の支持脚の斜視図である。
【図５】前記実施形態に係る二重床構造の支持脚の断面図である。
【図６】本発明の変形例に係る二重床構造の支持脚の斜視図である。
【図７】本発明の第２実施形態に係る二重床構造の支持脚の斜視図である。
【図８】本発明の第３実施形態に係る二重床構造の支持脚の斜視図である。
【図９】本発明の第４実施形態に係る二重床構造の一部を示す斜視図である。
【図１０】前記実施形態に係る二重床構造の蓋部材の平面図および縦断面図である。
【図１１】前記実施形態に係る蓋部材の変形例の平面図および縦断面図である。
【図１２】本発明の第５実施形態に係る二重床構造の平面図である。
【図１３】前記実施形態に係る二重床構造の集合部の平面図および縦断面図である。
【発明を実施するための形態】
【００２３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る二重床構造１の平面図である。図２は、二重床構造１の一部を示す斜視図である。
二重床構造１は、スラブ面２に設けられる複数の支持脚１０と、これら複数の支持脚１０に支持される複数の略矩形状の床パネル２０と、を備える。
【００２４】
各床パネル２０の隅部２１は、斜めに直線状に切り欠かれて形成されており、これら床パネル２０は、隅部２１同士を突き合わせた状態で並んで配置されている。４つの床パネルの隅部２１が集合する部分を集合部２２とすると、この集合部２２は、平面視で菱形状の空間となる。
【００２５】
集合部２２には、平面視で矩形状の蓋部材３０が着脱可能に設けられている。蓋部材３０の上面は平滑であり、蓋部材３０を集合部２２に取り付けた状態では、集合部２２が塞がれて、蓋部材３０の側面と床パネル２０の側面との間にほとんど空隙がなく、かつ、蓋部材３０の上面と床パネル２０の上面とが面一となっている。
また、この蓋部材３０の下面には図示しない磁石が内蔵されている。
【００２６】
図３は、床パネル２０の平面図および側面図である。
この床パネル２０は、構造材と仕上材とが一体化された木製のパネルであり、ベースパネル２３と、このベースパネル２３の上に設けられた寄せ木張りである仕上層２４と、を備えている。
【００２７】
図４は、支持脚１０の斜視図であり、図５は、支持脚１０の断面図である。
支持脚１０は、スラブ面２に設置された矩形平板状の台座１１と、この台座１１の上に設けられた円筒状の軸部１２と、この軸部１２の上に設けられて４つの床パネル２０の隅部２１が載置される矩形平板状の支持部１３と、を備える。
【００２８】
支持部１３は、隅部２１が集合した集合部２２を上面で支持している。また、この支持部１３はスチール製であり、上述の蓋部材３０の底面は、この蓋部材３０に内蔵した磁石の磁力により、支持部１３の上面に吸着される。
【００２９】
軸部１２は、外周面にねじが刻設された円筒状の下側軸部１２１と、内周面にねじが刻設されて内周面で下側軸部１２１に螺合された円筒状の上側軸部１２２と、を備える。
下側軸部１２１は、台座１１に固定されており、上側軸部１２２は、支持部１３に固定されている。
【００３０】
よって、この支持脚では、上側軸部１２２を下側軸部１２１に対して回転させることで、支持部１３の台座１１からの高さを調整可能となっている。
【００３１】
下側軸部１２１の外周面には、下側軸部１２１の内部に至る開口１２３が形成されている。
支持部１３の上面には、上側軸部１２２の内部に連通する連通孔１３１が形成されている。
【００３２】
この支持脚１０では、開口１２３、下側軸部１２１の内部、上側軸部１２２の内部、および連通孔１３１により、床下空間から支持部１３の上面に至る通路が形成されている。
よって、図４に示すように、床下空間の配線４０を、開口１２３、下側軸部１２１の内部、上側軸部１２２の内部、および連通孔１３１を挿通して、支持部１３の上面に取り出すことができる。
【００３３】
なお、支持部１３の上面の支持力が不足する場合には、図６に示すように、支持部１３に拡張部材５０を取り付けてもよい。
この拡張部材５０は、平板状の拡張支持部５１と、この拡張支持部５１の下面に設けられた円筒形状の嵌合部５２と、を備える。
拡張支持部５１の上面には、嵌合部５２の内部に連通する連通孔５１１が形成されている。
【００３４】
この拡張部材５０の嵌合部５２を支持部１３の連通孔１３１に嵌め込むとともに、拡張支持部５１を支持部１３の上に載置することで、支持部１３の上に拡張部材５０が積層配置されて支持面積が拡張されて、支持力を増大できる。また、支持部１３および拡張支持部５１は、平面視における横断面積が蓋部材３０よりも大きくなっている。
この場合、開口１２３、下側軸部１２１の内部、上側軸部１２２の内部、および連通孔１３１、連通孔５１１により、床下空間から支持部１３の上面に至る通路が形成される。
【００３５】
本実施形態によれば、以下のような効果がある。
（１）床下空間の配線４０を床上に取り出す場合、この配線４０を取り出したい箇所の蓋部材３０を取り外す。すると、支持脚１０の支持部１３の上面が露出するので、開口１２３、下側軸部１２１の内部、上側軸部１２２の内部、および連通孔１３１を挿通して、床下空間の配線４０を支持脚１０の支持部１３の上面から取り出す。このようにして、床下空間の配線４０を容易に取り出すことができる。
また、床パネル２０の隅部２１が集合する集合部２２を配線取出し口とするので、配線取出し口の箇所数を低減できる。
【００３６】
（２）構造材と仕上材とが一体化されたパネルを床パネル２０として用いたので、カーペットなどの仕上材が不要となるから、低コストとなる。
【００３７】
（３）蓋部材３０を支持部１３に磁力で吸着させたので、歩行者の靴底の衝撃により蓋部材３０が脱落するのを防止できるうえに、蓋部材３０を取り外す場合には、吸引機器で蓋部材３０を吸引して容易に取り外すことができる。
【００３８】
（４）蓋部材３０を集合部２２に取り付けた状態では、蓋部材３０の側面と床パネル２０の側面との間にほとんど空隙がないので、空隙にヒールが入り込んで歩行者が転倒するのを防止できる。
【００３９】
〔第２実施形態〕
図７は、本発明の第２実施形態に係る二重床構造１Ａの支持脚１０Ａの斜視図である。
本実施形態では、支持脚１０Ａの構造が、第１実施形態と異なる。
【００４０】
すなわち、支持脚１０Ａには、第１実施形態の開口１２３が設けられておらず、スリット１４が設けられている。
このスリット１４は、下側軸部１２１の外周面に形成されて上下に延びるスリット１４１と、上側軸部１２２の外周面に形成されて上下に延びるスリット１４２と、支持部１３の外縁から内側に向かって延びてスリット１４２に至るスリット１４３と、で構成される。
【００４１】
この支持脚１０Ａでは、スリット１４１、下側軸部１２１の内部、上側軸部１２２の内部、および連通孔１３１により、床下空間から支持部１３の上面に至る通路が形成されている。
よって、床下空間の配線４０を、スリット１４を通して軸部１２の内部に配置して、連通孔１３１から支持部１３の上面に取り出すことができる。
【００４２】
本実施形態によれば、上述の（１）〜（４）に加えて、以下のような効果がある。
（５）床下空間の配線４０を、スリット１４を通して軸部１２の内部に配置できるので、配線４０の先端に多口コンセントのような大きな部材が接続されていても、この配線４０を容易に軸部１２の内部に配置できる。
【００４３】
〔第３実施形態〕
図８は、本発明の第３実施形態に係る二重床構造１Ｂの支持脚１０Ｂの斜視図である。
本実施形態では、支持脚１０Ｂの構造が、第１実施形態と異なる。
【００４４】
すなわち、支持脚１０Ｂは、既存の支持脚であり、下側軸部１２１Ｂが円筒状ではなく、円柱状であり、内部に空間が設けられていない。
また、矩形平板状の支持部１３の上には、楕円形の円環状の拡張部材６０が取り付けられている。これにより、支持部１３の外縁と拡張部材６０の内縁とで、床下空間から支持部１３の上面に至る通路としての開口６１が形成されている。
【００４５】
このような支持脚１０Ｂによれば、開口６１を通して、床下空間の配線を支持部１３の上面に取り出すことができる。
【００４６】
本実施形態によれば、上述の（１）〜（４）に加えて、以下のような効果がある。
（６）既存の支持脚１０Ｂについても、拡張部材６０を取り付けるだけで、床下空間の配線４０を容易に取り出すことができる。よって、改修工事においても、本発明を容易に適用できる。
【００４７】
なお、本発明は前記実施形態に限定されるものではなく、本発明の目的を達成できる範囲での変形、改良等は本発明に含まれるものである。
例えば、上述の各実施形態では、蓋部材３０に磁石を内蔵し、この磁石の磁力により蓋部材３０を支持部１３の上面に吸着したが、これに限らない。すなわち、蓋部材３０の底面に粘着両面テープを貼り付けて、粘着テープの粘着力により、この蓋部材３０を支持部１３の上面に粘着してもよい。
【００４８】
また、上述の各実施形態では、蓋部材３０を平面視で矩形状としたが、これに限らず、平面視で円形状としてもよい。
【００４９】
〔第４実施形態〕
図９は、本発明の第４実施形態に係る二重床構造１Ｃの一部を示す斜視図である。図１０（ａ）、（ｂ）は、二重床構造１Ｃの蓋部材３０Ｃの平面図および縦断面図である。
本実施形態では、蓋部材３０Ｃの構造が、第１実施形態と異なる。
【００５０】
すなわち、蓋部材３０Ｃは、通気性を有しており、矩形枠状の蓋部材本体３１と、この蓋部材本体３１の内部に設けられて蓋部材本体３１に対する角度を変更可能なルーバ３２と、を備える。
【００５１】
本実施形態によれば、上述の（１）〜（４）に加えて、以下のような効果がある。
（７）蓋部材３０Ｃを蓋部材本体３１とルーバ３２とを含んで構成した。よって、二重床の床下空間に空気を供給することにより、図９中矢印で示すように、この供給された空気は、開口１２３、下側軸部１２１の内部、上側軸部１２２の内部、および連通孔１３１を挿通して、床下空間の配線４０を支持脚１０の支持部１３の上面に到達し、さらに、蓋部材３０のルーバ３２同士の隙間を通して床上の室内空間に流入するから、蓋部材３０Ｃを給気口として用いることができる。
なお、本実施形態では、蓋部材３０Ｃを給気口として用いたが、これに限らず、蓋部材３０Ｃを、室内空間の空気を床下空間に設けた排気ダクト等に吸い込むための吸引口として用いてもよい。
【００５２】
このとき、図示しないが、蓋部材３０Ｃの周囲つまり蓋部材３０Ｃと床パネル２０との間には、パッキンを設けて、蓋部材３０Ｃと床パネル２０との間から空気が漏れるのを防止する。
また、図９に示すように、床下空間の配線４０を、支持脚１０の軸部１２の内部および蓋部材３０Ｃのルーバ３２同士の間を通して、床上に取り出すことができる。
【００５３】
（８）各集合部２２について、通気性を有する蓋部材３０Ｃあるいは通気性を有していない蓋部材３０を適宜選択して配置することで、床上空間において所望の空調を実現できる。具体的には、空気を床面から吹き出させる箇所には、集合部２２に蓋部材３０Ｃを嵌め込んでおき、空気を床面から吹き出させない箇所には、集合部２２に蓋部材３０を嵌め込んでおく。
【００５４】
（９）蓋部材３０Ｃを、蓋部材本体３１とルーバ３２とを含んで構成したので、ルーバ３２の角度を変えることで、蓋部材３０Ｃから吹き出す空気の方向を調整できる。
【００５５】
なお、本実施形態では、蓋部材３０Ｃを蓋部材本体３１およびルーバ３２を含んで構成したが、これに限らず、複数の貫通孔が形成されていればどのような形状でもよい。
例えば、図１１（ａ）、（ｂ）に示すように、蓋部材３０Ｃに複数の小径の貫通孔３３を設けてもよい。このようにすれば、吹出口としての貫通孔３３を目立たなくできるうえに、貫通孔３３を通して床下空間に落下する塵埃を少量に抑えることができる。
【００５６】
また、図１１（ｃ）、（ｄ）に示すように、スリット３４が形成された２つの風量調整部材３５を積層して、蓋部材３０Ｃを構成してもよい。このようにすれば、これら２つの風量調整部材３５の向きを変えて積層することで、吹き出す空気の向きや風量を調整できる。
【００５７】
また、蓋部材３０Ｃを、ウレタンフォームや、カラ、マツ、リサイクル素材からなる中密度繊維板など、多孔質の材料で形成してもよい。
【００５８】
〔第５実施形態〕
図１２は、本発明の第５実施形態に係る二重床構造１Ｄの平面図である。図１３は、二重床構造１Ｄの集合部２２の平面図および縦断面図である。
本実施形態では、支持脚１０Ｄの構成、および、根太材７０を設けた点が、第１実施形態と異なる。
【００５９】
すなわち、二重床構造１Ｄは、スラブ面２に設けられる複数の支持脚１０Ｄと、これら複数の支持脚１０Ｄ同士の間に架設された複数の根太材７０と、これら複数の根太材７０同士の間に架設される複数の略矩形状の床パネル２０と、を備える。
【００６０】
支持脚１０Ｄは、汎用品であり、第１実施形態の支持脚１０のように軸部が円筒形状となっていない。
この支持脚１０Ｄは、複数の床パネル２０の隅部２１が集合する集合部２２の直下ではない位置に配置されている。具体的には、根太材７０に沿って、床パネル２０の２枚分の間隔を置いて配置されている。
【００６１】
根太材７０の幅寸法は、平面視で菱形状の集合部２２の対角線の長さ寸法よりも小さく、集合部２２と根太材７０との間には、隙間ｄが形成されている。
【００６２】
本実施形態によれば、以下のような効果がある。
（１０）支持脚１０Ｄを集合部２２の直下に配置しないので、集合部２２の直下には根太材７０のみが配置されることになる。よって、図１３に示すように、床下空間の配線４０を床上に取り出す場合、まず、この配線４０を取り出したい箇所の蓋部材３０を取り外す。すると、根太材７０の上面が露出するので、根太材７０と集合部２２との隙間ｄを通して、床下空間の配線４０を床上に引き出す。このようにして、床下空間の配線４０を容易に取り出すことができる。
【００６３】
また、床パネル２０の隅部２１が集合する集合部２２を配線取出し口とするので、配線取出し口の箇所数を低減できる。
また、支持脚１０Ｄの内部に配線を通すための通路を設ける必要がないので、支持脚１０Ｄとして汎用品を用いることができる。
【００６４】
また、支持脚１０Ｄで根太材７０を支持する構造としたので、各集合部２２に支持脚１０Ｄを配置する必要がなく、支持脚１０Ｄの個数を削減して、施工費を低減できる。
【００６５】
（１１）床下空間の配線４０を、隙間ｄを通して床上に取り出すことで、吹出口としての隙間ｄを目立たなくできるうえに、隙間ｄを通して床下空間に落下する塵埃を少量に抑えることができる。
【００６６】
（１２）根太材７０と支持脚１０Ｄとを工場にて予め一体化しておくことで、現場での施工性を向上できる。
【符号の説明】
【００６７】
ｄ…隙間
１、１Ａ、１Ｂ、１Ｃ、１Ｄ…二重床構造
２…スラブ面
１０、１０Ａ、１０Ｂ、１０Ｄ…支持脚
１１…台座
１２、１２Ｂ…軸部
１３…支持部
１４…スリット
２０…床パネル
２１…隅部
２２…集合部
２３…ベースパネル
２４…仕上層
３０、３０Ｃ…蓋部材
３１…蓋部材本体
３２…ルーバ
３３…貫通孔
３４…スリット
３５…風量調整部材
４０…配線
５０…拡張部材
５１…拡張支持部
５２…嵌合部
６０…拡張部材
６１…開口
７０…根太材
１２１、１２１Ｂ…下側軸部
１２２…上側軸部
１２３…開口
１３１…連通孔
１４１、１４２、１４３…スリット
５１１…連通孔
【図１】
2014169616.tif 000003
【図２】
2014169616.tif 000004
【図３】
2014169616.tif 000005
【図４】
2014169616.tif 000006
【図５】
2014169616.tif 000007
【図６】
2014169616.tif 000008
【図７】
2014169616.tif 000009
【図８】
2014169616.tif 000010
【図９】
2014169616.tif 000011
【図１０】
2014169616.tif 000012
【図１１】
2014169616.tif 000013
【図１２】
2014169616.tif 000014
【図１３】
2014169616.tif 000015